(57)【要約】【課題】単純な操作によって正確な検量を行うとともに、ユーザビリティを向上させることが可能な定量スポイトを提供する。【解決手段】定量スポイト１０は、先端開口部１１、吸引吐出部１２、定量部１３、廃液貯留部１４ａ，１４ｂ、逆流抑制部１５を備えている。吸引吐出部１２は、使用者の操作によって先端開口部１１から採取液体を吸引させるための吸引力を発生させる。定量部１３は、先端開口部１１と吸引吐出部１２との間に設けられており、吸引吐出部１２が操作されて先端開口部１１から吸引された採取液体のうち、所定量の採取液体を貯留する。廃液貯留部１４ａ，１４ｂは、定量部１３と連通した状態で定量部１３の側方に定量部１３を胴体部分とする腕状の形状を有するように設けられ、定量部１３から溢れ出た所定量を超える余剰の採取液体を貯留する。【選択図】図２
2018020283.tif 000002
【特許請求の範囲】
【請求項１】
採取液体を吸引して、所定量の前記採取液体を吐出する液体検量器であって、
第１端側に設けられており、前記採取液体を吸引・吐出するための開口を有する先端開口部と、
前記第１端から離間した位置に設けられており、使用者の操作によって前記先端開口部から前記採取液体を吸引させるための吸引力、吸引した前記採取液体を吐出するための吐出力を発生させる吸引吐出部と、
前記先端開口部と前記吸引吐出部との間に設けられており、前記吸引吐出部が操作されて前記先端開口部から吸引された前記採取液体のうち、前記所定量の前記採取液体を貯留する定量部と、
前記定量部と連通した状態で前記定量部の側方に前記定量部を胴体部分とする腕状の形状を有するように設けられており、前記定量部から溢れ出た前記所定量を超える余剰の前記採取液体を貯留する廃液貯留部と、
を備えている液体検量器。
【請求項２】
前記吸引吐出部を鉛直上向きとする姿勢において、
前記定量部から前記廃液貯留部に向かって前記採取液体が流出する流出口は、前記廃液貯留部の前記採取液体の流入口よりも、鉛直方向下方に配置されている、
請求項１に記載の液体検量器。
【請求項３】
前記定量部と前記廃液貯留部との間に設けられ、前記定量部よりも前記採取液体の流入断面積が小さくなるように形成されており、前記定量部から前記廃液貯留部への前記採取液体の移動を抑制する逆流抑制部を、さらに備えている、
請求項１または２に記載の液体検量器。
【請求項４】
前記吸引吐出部によって吸引される最大体積をＶ１、前記定量部において貯留される最大体積をＶ２とすると、以下の関係式（１）を満たす、
請求項１から３のいずれか１項に記載の液体検量器。
Ｖ１＞Ｖ２  ・・・・・（１）
【請求項５】
前記吸引吐出部によって吸引される最大体積をＶ１、前記定量部において貯留される最大体積をＶ２、前記廃液貯留部において貯留される最大体積をＶ３とすると、以下の関係式（２）を満たす、
請求項１から３のいずれか１項に記載の液体検量器。
Ｖ３＞Ｖ１−Ｖ２  ・・・・・（２）
【請求項６】
前記逆流抑制部は、前記定量部における前記採取液体の流入側の端部に設けられている、
請求項３に記載の液体検量器。
【請求項７】
前記逆流抑制部は、前記廃液貯留部における前記採取液体の流入側の端部に設けられている、
請求項３に記載の液体検量器。
【請求項８】
前記逆流抑制部は、前記定量部に対する前記採取液体の流入方向に交差する面に沿った断面積が、前記定量部よりも小さい、
請求項３に記載の液体検量器。
【請求項９】
前記逆流抑制部は、前記定量部に対する前記採取液体の流入方向に略平行な面に沿った断面積が、前記定量部よりも小さい、
請求項３に記載の液体検量器。
【請求項１０】
前記廃液貯留部は、前記定量部から溢れ出た前記採取液体を貯留する複数の貯留部を有している、
請求項１から９のいずれか１項に記載の液体検量器。
【請求項１１】
前記定量部と前記廃液貯留部との間に設けられ、前記定量部から溢れ出た余剰の前記採取液体を前記廃液貯留部側へ誘導する傾斜面を有する液体残留防止部を、さらに備えている、
請求項１から１０のいずれか１項に記載の液体検量器。
【請求項１２】
前記吸引吐出部と前記定量部との間に設けられており、前記吸引吐出部が操作される際に把持される筒状の把持部を、さらに備えている、
請求項１から１１のいずれか１項に記載の液体検量器。
【請求項１３】
前記吸引吐出部は、蛇腹状に形成されている、
請求項１から１２のいずれか１項に記載の液体検量器。
【請求項１４】
前記先端開口部は、前記定量部への前記採取液体の流入方向に対して斜めに配置されている、
請求項１から１３のいずれか１項に記載の液体検量器。
【請求項１５】
前記廃液貯留部は、前記先端開口部の向きに合わせて傾けた状態で、前記定量部よりも鉛直方向下方に配置される、
請求項１４に記載の液体検量器。                                                                          
【発明の詳細な説明】
【技術分野】
【０００１】
本発明は、採取液体を検量するために用いられる液体検量器に関する。
【背景技術】
【０００２】
生化学的分析や臨床検査等においては、検体等の採取液体を正確に検量するための各種器具が用いられている。これらの検量器具には、操作性等の使い勝手（ユーザビリティ）、定量性等の性能が要求される。
例えば、特許文献１には、採取液体をより正確に検量することが可能なピペットチップについて開示されている。
【０００３】
このピペットチップは、吸引された採取液体を所定量だけ保持する液体保持部と、液体保持部から所定量を超えてオーバーフローした液体を収容する液体収容部とを備えている。
【先行技術文献】
【特許文献】
【０００４】
【特許文献１】特開２００７−３１５７９３号公報
【発明の概要】
【発明が解決しようとする課題】
【０００５】
しかしながら、上記従来のピペットチップでは、以下に示すような問題点を有している。
すなわち、上記公報に開示されたピペットチップでは、ピベットの先端部分において、液体収容部が液体保持部を周設した構成となっている。このため、液体収容部の大きさの分、ピベットの先端部分が太くなってしまい、液体検体をピベット先端から吸引あるいは吐出する際に視認性、操作性が低下し、使い勝手が低下してしまう。
【０００６】
本発明の課題は、単純な操作によって正確な検量を行うとともに、使用者の使い勝手を向上させることが可能な液体検量器を提供することにある。
【課題を解決するための手段】
【０００７】
第１の発明に係る液体検量器は、採取液体を吸引して、所定量の採取液体を吐出する液体検量器であって、先端開口部と、吸引吐出部と、定量部と、廃液貯留部と、逆流抑制部と、を備えている。先端開口部は、第１端側に設けられており、採取液体を吸引・吐出するための開口を有する。吸引吐出部は、第１端から離間した位置に設けられており、使用者の操作によって先端開口部から採取液体を吸引させるための吸引力、吸引した採取液体を吐出するための吐出力を発生させる。定量部は、先端開口部と吸引吐出部との間に設けられており、吸引吐出部が操作されて先端開口部から吸引された採取液体のうち、所定量の採取液体を貯留する。廃液貯留部は、定量部と連通した状態で定量部の側方に定量部を胴体部分とする腕状の形状を有するように設けられており、定量部から溢れ出た所定量を超える余剰の採取液体を貯留する。
【０００８】
ここでは、先端開口部から採取液体を吸引して所定量の採取液体を吐出する液体検量器において、吸引吐出部を操作することによって吸引された採取液体を定量部に流入させ、定量部から溢れ出した余剰の採取液体が廃液貯留部において貯留される。
ここで、本液体検量器は、定量部の体積が所定量に規定されていることで、例えば、採取液体の体積を検量するための目盛りを必要としない構成を採用している。そして、本液体検量器は、定量部に採取液体を充填させた状態のまま他の容器等へ採取液体を移し変えることで、目盛りを見ながらスポイト内で検量することなく、容易に所定量の採取液体の検量を可能とする器具である。
【０００９】
吸引吐出部は、例えば、使用者の指の操作によって内部の体積を一時的に減少させることが可能な薄肉状、あるいは蛇腹状の形状を有している。そして、吸引吐出部が元の形状に戻ろうとする復元力を利用して、液体検量器内の内圧を低下させ、先端開口部から採取液体を吸引する吸引力を生じさせる。
なお、吸引吐出部は、使用者の指による手動操作だけでなく、電力等を用いて自動操作によって、採取液体の吸引・吐出を行ってもよい。
【００１０】
定量部は、検量したい所定量（例えば、２ｍｌ等）の採取液体を貯留可能な体積を有しており、所定量を超える量の採取液体を貯留できない。そして、廃液貯留部は、吸引吐出部の操作によって吸引された、例えば、５ｍｌの採取液体のうち、２ｍｌの定量部から溢れ出した３ｍｌ分の採取液体を貯留する。
また、定量部の側方に設けられた廃液貯留部は、定量部を胴体部分とする腕状の形状を有している。
【００１１】
これにより、廃液貯留部と定量部とがともに外部から視認可能な状態で配置されるため、使用者は、定量部を採取液体によって充填させ、定量部から溢れ出した採取液体が廃液貯留部へと流入している状態を、視認することができる。
この結果、単純な操作によって正確な検量を行うとともに、使用者の使い勝手を向上させることができる。
【００１２】
第２の発明に係る液体検量器は、第１の発明に係る液体検量器であって、吸引吐出部を鉛直上向きとする姿勢において、定量部から廃液貯留部に向かって採取液体が流出する流出口は、廃液貯留部の採取液体の流入口よりも、鉛直方向下方に配置されている。
ここでは、吸引吐出部を上向きとする液体検量器の使用時の姿勢において、定量部の流出口が、廃液貯留部の流入口よりも低い位置（鉛直方向における下方）に配置されている。
【００１３】
これにより、定量部から溢れ出した採取液体を、重量によって、低い位置にある廃液貯留部の流入口から廃液貯留部内へとスムーズに流入させることができる。さらに、一旦、廃液貯留部内へ移動した採取液体は、使用姿勢において上方にある定量部の流出口へ移動することは困難である。
この結果、定量部から溢れ出して廃液貯留部へ貯留された採取液体の定量部への逆流を防止することができる。
【００１４】
この結果、採取液体を吸引して定量部へ所定量の採取液体を貯留し、正確に所定量の採取液体を吐出することができる。よって、液体検量器の使用者の使い勝手を向上させることができる。
第３の発明に係る液体検量器は、第１または第２の発明に係る液体検量器であって、定量部と廃液貯留部との間に設けられ、定量部よりも採取液体の流入断面積が小さくなるように形成されており、定量部から廃液貯留部への採取液体の移動を抑制する逆流抑制部を、さらに備えている。
【００１５】
ここでは、定量部と廃液貯留部との間に、定量部から廃液貯留部への採取液体の移動を抑制する逆流抑制部が設けられている。
ここで、逆流抑制部は、定量部と廃液貯留部との間の位置に設けられた採取液体の流路（流入断面積）が狭くなるように形成された部分であって、例えば、内径１ｍｍ程度の円形の断面として形成される。このため、逆流抑制部では、流路を狭めた部分において生じた採取液体の表面張力によって、採取液体の移動が抑制される。
【００１６】
これにより、吸引吐出部の操作によって一旦、定量部に流入した採取液体は、逆流抑制部において生じる表面張力によって、定量部から流出しにくい状態となる。また、定量部から溢れ出して廃液貯留部へ貯留された採取液体は、常に定量部が満たされた状態のまま維持されるため、定量部の方へ移動することを抑制することができる。
この結果、採取液体を吸引して定量部へ所定量の採取液体を貯留した後、液体検量器を斜めにして他の容器等へ採取液体を吐出した場合でも、正確に所定量の採取液体を吐出することができる。よって、液体検量器の使用者の使い勝手を向上させることができる。
【００１７】
第４の発明に係る液体検量器は、第１から第３の発明のいずれか１つに係る液体検量器であって、吸引吐出部によって吸引される最大体積をＶ１、定量部において貯留される最大体積をＶ２とすると、以下の関係式（１）を満たす。
Ｖ１＞Ｖ２  ・・・・・（１）
ここでは、吸引吐出部の１回の操作によって吸引可能な採取液体の量の方が、定量部に貯留可能な所定量よりも大きくなるように設定されている。
【００１８】
これにより、吸引吐出部による１回の吸引操作によって、定量部から溢れ出させるだけの所定量を超える量の採取液体を吸引することができる。
この結果、使用者は、１回の吸引操作によって定量部を充填させた後、そのまま吐出操作によって所定量の採取液体を吐出することができるため、採取液体を他の容器等へ移動させる際の作業を単純化して、作業効率を向上させることができる。
【００１９】
第５の発明に係る液体検量器は、第１から第３の発明のいずれか１つに係る液体検量器であって、吸引吐出部によって吸引される最大体積をＶ１、定量部において貯留される最大体積をＶ２、廃液貯留部において貯留される最大体積をＶ３とすると、以下の関係式（２）を満たす。
Ｖ３＞Ｖ１−Ｖ２  ・・・・・（２）
ここでは、吸引吐出部の操作によって吸引される最大体積から定量部において貯留可能な体積を引いた体積よりも、廃液貯留部の体積の方が大きくなるように設定されている。
【００２０】
つまり、定量部から溢れ出した採取液体の量よりも、廃液貯留部の体積が大きくなるように設定されている。
これにより、吸引吐出部を最大限操作することで液体検量器内に吸引された採取液体のうち、定量部から溢れ出した採取液体は全て廃液貯留部において貯留することができる。よって、１回の吸引操作によって液体検量器内に吸引された採取液体について、廃液貯留部から採取液体が溢れてしまうことを防止することができる。
【００２１】
第６の発明に係る液体検量器は、第３の発明に係る液体検量器であって、逆流抑制部は、定量部における採取液体の流入側の端部に設けられている。
ここでは、定量部よりも小さい流入断面積を有する逆流抑制部が、定量部における流入側の端部に設けられている。
これにより、定量部における流入側の端部に設けられた逆流抑制部によって、定量部に充填された採取液体が定量部の外へ流出することを効果的に抑制することができる。
【００２２】
この結果、吸引操作によって定量部に所定量の採取液体が充填された後、定量部に充填された採取液体の量が各種操作中に変動することを抑制して、所定量の採取液体を正確に検量することができる。
第７の発明に係る液体検量器は、第３の発明に係る液体検量器であって、逆流抑制部は、廃液貯留部における採取液体の流入側の端部に設けられている。
【００２３】
ここでは、定量部よりも小さい流入断面積を有する逆流抑制部が、廃液貯留部における流入側の端部に設けられている。
これにより、廃液貯留部における流入側の端部に設けられた逆流抑制部によって、一旦、廃液貯留部内に流入した採取液体が定量部の方へ流出することを効果的に抑制することができる。
【００２４】
この結果、吸引操作によって定量部に所定量の採取液体が充填された後、定量部と廃液貯留部との間における採取液体の移動を抑制して、所定量の採取液体を正確に検量することができる。
第８の発明に係る液体検量器は、第３の発明に係る液体検量器であって、逆流抑制部は、定量部に対する採取液体の流入方向に交差する面に沿った断面積が、定量部よりも小さい。
【００２５】
ここでは、逆流抑制部の流入断面積が定量部における採取液体の流入方向に交差する面に沿った断面積となる向きで、逆流抑制部を設けている。
これにより、逆流抑制部によって、定量部における採取液体の流入方向における採取液体の移動を効果的に抑制することができる。
この結果、吸引操作によって定量部に所定量の採取液体が充填された後、定量部と廃液貯留部との間における採取液体の移動を抑制して、採取液体の正確な検量を実施することができる。
【００２６】
第９の発明に係る液体検量器は、第３の発明に係る液体検量器であって、逆流抑制部は、定量部に対する採取液体の流入方向に略平行な面に沿った断面積が、定量部よりも小さい。
ここでは、逆流抑制部の流入断面積が定量部における採取液体の流入方向に略平行な面に沿った断面積となる向きで、逆流抑制部を設けている。
【００２７】
これにより、逆流抑制部によって、定量部における採取液体の流入方向に交差する方向における採取液体の移動を効果的に抑制することができる。
この結果、吸引操作によって定量部に所定量の採取液体が充填された後、定量部と廃液貯留部との間における採取液体の移動を抑制して、採取液体の正確な検量を実施することができる。
【００２８】
第１０の発明に係る液体検量器は、第１から第９の発明のいずれか１つに係る液体検量器であって、廃液貯留部は、定量部から溢れ出た採取液体を貯留する複数の貯留部を有している。
ここでは、廃液貯留部には、定量部から溢れ出した採取液体を貯留するための貯留部が複数設けられている。
【００２９】
ここで、廃液貯留部に含まれる複数の貯留部は、例えば、定量部を挟み込むように配置されていてもよいし、定量から見て同じ側へ設けられていてもよい。
これにより、定量部から溢れ出した採取液体を、複数の貯留部において保持することができる。
第１１の発明に係る液体検量器は、第１から第１０の発明のいずれか１つに係る液体検量器であって、定量部と廃液貯留部との間に設けられ、定量部から溢れ出た余剰の採取液体を廃液貯留部側へ誘導する傾斜面を有する液体残留防止部を、さらに備えている。
【００３０】
ここでは、定量部と廃液貯留部との間に、余剰の採取液体を廃液貯留部側へ誘導するための傾斜面を含む液体残留防止部を設けている。
これにより、吸引操作によって吸引された採取液体のうち、定量部から溢れ出た余剰の採取液体を、スムーズに廃液貯留部の方へ移動させることができる。よって、例えば、採取液体を検量して他の容器等へ移し変える操作中に、余剰の採取液体が定量部の方へ移動することを抑制することで、正確な検量を実施することができる。
【００３１】
第１２の発明に係る液体検量器は、第１から第１１の発明のいずれか１つに係る液体検量器であって、吸引吐出部と定量部との間に設けられており、吸引吐出部が操作される際に把持される筒状の把持部を、さらに備えている。
ここでは、吸引吐出部と定量部との間に、使用者等によって把持される筒状の把持部を設けている。
【００３２】
これにより、吸引・吐出操作が行われる際には、使用者等は把持部を持った状態で吸引吐出部を操作するとともに、吸引吐出部の操作によって生じた減圧状態によって、筒状の把持部を介して先端開口部から採取液体を吸引することができる。
第１３の発明に係る液体検量器は、第１から第１２の発明のいずれか１つに係る液体検量器であって、吸引吐出部は、蛇腹状に形成されている。
【００３３】
ここでは、吸引吐出部として、蛇腹状の部材を用いている。
これにより、吸引・吐出操作の際に操作しやすく、押し込み操作の後の復元力も安定しているため、押し込む量によって吸引量を容易に調整することができる。
第１４の発明に係る液体検量器は、第１から第１３の発明のいずれか１つに係る液体検量器であって、先端開口部は、定量部への採取液体の流入方向に対して斜めに配置されている。
【００３４】
ここでは、採取液体を吸引・吐出するための開口を有する先端開口部の向きを斜めに配置している。
これにより、例えば、採取液体を吸引する際に、先端開口部の開口が鉛直方向に沿った向きになるように、液体検量器を斜め姿勢にした状態で操作することができる。
第１５の発明に係る液体検量器は、第１４の発明に係る液体検量器であって、廃液貯留部は、先端開口部の向きに合わせて傾けた状態で、定量部よりも鉛直方向下方に配置される。
【００３５】
ここでは、上述した先端開口部の向きを斜めに配置した構成において、先端開口部の開口が鉛直方向に沿った向きになるように液体検量器を斜め姿勢にした状態で、鉛直方向下方に廃液貯留部を設けている。
これにより、斜めの先端開口部の向きに合わせて液体検量器を斜め姿勢にして採取液体を吸引した場合でも、定量部から溢れ出た余剰の採取液体を斜め姿勢のスポイトの下方に設けられた廃液貯留部へとスムーズに移動させて貯留することができる。
【発明の効果】
【００３６】
本発明に係る液体検量器によれば、単純な操作によって正確な検量を行うとともに、使用者の使い勝手を向上させることができる。
【図面の簡単な説明】
【００３７】
【図１】本発明の一実施形態に係る定量スポイトの使用方法を示す概念図。
【図２】（ａ），（ｂ）は、本発明の一実施形態に係る定量スポイトの構成を示す正面図、側面図。
【図３】図２（ａ）の定量スポイトの要部の構成を示す正面図。
【図４】（ａ）〜（ｄ）は、図２（ａ）の定量スポイトを用いた分注作業の工程を示す図。
【図５】（ａ）〜（ｄ）は、本発明の一実施例に係る定量スポイトと、比較例に係る従来のスポイトの構成を示す図。
【図６】本発明の一実施例に係る定量スポイトの分注量と従来のスポイトの分注量との比較結果を示すグラフ。
【図７】本発明の一実施例に係る定量スポイトの分注量のばらつきと従来のスポイトの分注量のばらつきとの比較結果を示すグラフ。
【図８】（ａ）は、図２（ａ）の定量スポイトの構成を示す正面図。（ｂ）は、本発明の他の実施形態に係る定量スポイトの要部（Ａ部分）の構成を示す正面図。
【図９】（ａ）〜（ｃ）は、本発明のさらに他の実施形態に係る定量スポイトの要部の構成を示す正面図。
【図１０】本発明のさらに他の実施形態に係る定量スポイトの要部の構成を示す正面図。
【図１１】本発明のさらに他の実施形態に係る定量スポイトの要部の構成を示す正面図。
【図１２】本発明のさらに他の実施形態に係る定量スポイトの全体構成を示す正面図。
【図１３】（ａ），（ｂ）は、本発明のさらに他の実施形態に係る定量スポイトの構成を示す正面図。
【図１４】本発明のさらに他の実施形態に係る定量スポイトの全体構成を示す正面図。
【図１５】本発明のさらに他の実施形態に係る定量スポイトの全体構成を示す正面図。
【発明を実施するための形態】
【００３８】
本発明の一実施形態に係る定量スポイトについて、図１〜図４（ｄ）を用いて説明すれば以下の通りである。
（定量スポイト１０）
本実施形態に係る定量スポイト（液体検量器）１０は、例えば、図１に示すように、血液等の検体（採取液体）２０を採取して、分析装置３１に装填されるカートリッジ３０へ所定量だけ吐出するために使用される。そして、定量スポイト１０は、例えば、ＰＥ（Polyethylene）等の熱可塑性樹脂を用いたブロー成形によって成形される。
【００３９】
ここで、分析装置３１は、例えば、消耗品であるカートリッジ３０に吐出された検体２０（図４（ａ）等参照））中に含まれるウィルス、菌の有無を判定する。
定量スポイト１０は、図２（ａ）および図２（ｂ）に示すように、先端開口部１１、吸引吐出部１２、定量部１３、廃液貯留部１４ａ，１４ｂ、逆流抑制部１５、および把持部１６を備えている。
【００４０】
なお、本実施形態では、定量スポイト１０の定量部１３の外周面側に、検体２０を検量するための視認可能な目盛りを設けていない。
これは、後述する定量部１３が所定量の体積（Ｖ２）を有しており、定量部１３が検体２０によって充填された後、吸引吐出部１２を操作して検体２０を吐出することで、常に所定量（体積Ｖ２）の検体２０を正確に吐出できる構成を採用しているためである。つまり、本実施形態の定量スポイト１０は、体積Ｖ２の検体２０を常に正確に検量可能な器具である。よって、体積Ｖ２とは異なる体積（例えば、体積Ｖ４）の検体を検量する場合には、体積Ｖ４の定量部１３を有する定量スポイトを用意して検量を実施すればよい。
【００４１】
先端開口部１１は、定量スポイト１０における検体２０と接触して、検体２０を吸引・吐出する側（第１端側）の先端に設けられている。そして、先端開口部１１は、円筒状に形成されており、直接的に連通する定量部１３よりも細い内径の開口１１ａを有している。
ここで、本実施形態の定量スポイト１０では、先端開口部１１の開口１１ａが、例えば、肉厚０．７ｍｍ、円筒部分の内径１．４ｍｍとなるように成形されている。
【００４２】
吸引吐出部１２は、定量スポイト１０の長手方向において、先端開口部１１とは反対側の端部に設けられている。
ここで、本実施形態の定量スポイト１０では、図２（ａ）等に示すように、開口１１ａを有する先端開口部１１、定量部１３、逆流抑制部１５、廃液貯留部１４ａ，１４ｂ、および把持部１６と連通しており、共通の内部空間を形成する。これにより、吸引吐出部１２は、使用者の指等による操作によって押圧され元の形状に戻る復元力によって、先端開口部１１から検体２０を吸引させるための吸引力を発生させる。反対に、吸引吐出部１２は、使用者の指等による操作によって押圧されて内部空間の体積が減少することで、先端開口部１１から検体２０を吐出させるための吐出力を発生させる。
【００４３】
また、吸引吐出部１２は、図２（ａ）および図３等に示すように、蛇腹状の円筒部として形成されている。これにより、薄肉状の円筒部や円盤部を押圧して吸引力を発生させる構成と比較して、操作しやすく安定した吸引力を生じさせることができる。また、押圧量に応じて検体２０の吸引量を調整しやすい。
ここで、本実施形態の定量スポイト１０では、蛇腹状の吸引吐出部１２が、例えば、肉厚０．３ｍｍで成形されている。これにより、蛇腹状の吸引吐出部１２が他の部分よりも薄肉化されて成形されているため、使用者の操作性を向上させることができる。
【００４４】
また、本実施形態では、図３に示す吸引吐出部１２の部分の体積Ｖ１が、例えば、６０００ｍｍ3になるように設定されている。
定量部１３は、図２（ａ）および図３等に示すように、定量スポイト１０の長手方向において先端開口部１１と吸引吐出部１２との間に設けられた筒状の部分であって、先端開口部１１に接続されている。そして、吸引吐出部１２が操作されて定量スポイト１０の内部空間内に吸引された検体２０は、まず、先端開口部１１から流入し、先端開口部１１に接続された定量部１３内に充填される。
【００４５】
また、定量部１３は、図３に示すように、先端開口部１１の円筒部分と後述する逆流抑制部１５の円筒部分とを含めた体積が所定量として規定された体積Ｖ２となるように設定されている。これにより、定量部１３から溢れ出すまで吸引された検体２０を、所定量の体積Ｖ２だけ貯留することができる。
ここで、本実施形態の定量スポイト１０では、定量部１３内に貯留される検体２０の体積Ｖ２が、例えば、１．９ｍｌになるように設定されている。また、定量部１３は、例えば、肉厚０．７ｍｍ、内径３．３ｍｍになるように成形されている。
【００４６】
さらに、本実施形態では、定量部１３の部分の体積Ｖ２が、例えば、２０００ｍｍ3になるように設定されている。
これにより、吸引吐出部１２の１回の操作によって吸引可能な検体２０の体積Ｖ１（６０００ｍｍ3）の方が、定量部１３に貯留可能な所定量の体積Ｖ２（２０００ｍｍ3）よりも大きいため、吸引吐出部１２を１度操作するだけで、定量部１３を充填させることができる。よって、使用者等は、１回の吸引操作だけで定量部１３を充填させた状態にすることができるため、すぐに次のステップ（吐出操作等）へ進むことができ、検量作業の作業効率を向上させることができる。
【００４７】
なお、吸引吐出部１２の体積Ｖ１と定量部１３の体積Ｖ２との関係は、本実施形態のように、以下の関係式（１）を満たすように設定されていることが好ましい。
Ｖ１＞Ｖ２  ・・・・・（１）
これにより、吸引吐出部１２の１回の操作によって、確実に定量部１３を充填させることができる。
【００４８】
廃液貯留部１４ａ，１４ｂは、図２（ａ）および図３等に示すように、定量部１３の上部と、逆流抑制部１５を介して連通した状態で定量部１３の左右の側方にそれぞれ設けられた腕状の部分であって、定量部１３から溢れ出た検体２０、つまり所定量（体積Ｖ２）を超えた余剰の検体２０を貯留する。
すなわち、廃液貯留部１４ａ，１４ｂは、吸引吐出部１２の操作によって吸引された検体２０のうち、定量部１３から溢れ出した余剰分（Ｖ１-Ｖ２）の検体２０が流入するように、定量部１３の上部と連通する位置に設けられている。そして、廃液貯留部１４ａ，１４ｂは、その長手方向が定量部１３に対して略平行な方向に沿って、それぞれ設けられている。
【００４９】
ここで、本実施形態の定量スポイト１０では、廃液貯留部１４ａ，１４ｂが、例えば、肉厚０．７ｍｍになるように成形されている。さらに、本実施形態では、図３に示す廃液貯留部１４ａ，１４ｂが、それぞれ１５００ｍｍ3（Ｖ３／２の体積（体積Ｖ３の半分））となるように設定されている。そして、廃液貯留部１４ａ，１４ｂの合計体積Ｖ３が、例えば、３０００ｍｍ3（＝１５００ｍｍ3×２）になるように設定されている。
【００５０】
なお、吸引吐出部１２の体積Ｖ１と定量部１３の体積Ｖ２と廃液貯留部１４ａ，１４ｂの体積Ｖ３との関係は、本実施形態のように、以下の関係式（２）を満たすように設定されていることが好ましい。
Ｖ３＞Ｖ１−Ｖ２  ・・・・・（２）
これにより、吸引吐出部１２の１回の操作によって定量部１３から溢れ出た検体２０の最大体積（Ｖ１−Ｖ２）よりも、廃液貯留部１４ａ，１４ｂに貯留可能な最大体積Ｖ３の方が大きくなる。よって、吸引吐出部１２の１回の操作によって定量部１３から溢れ出た検体２０の全てを、廃液貯留部１４ａ，１４ｂにおいて貯留することができる。
【００５１】
また、本実施形態の定量スポイト１０では、図２（ａ）および図２（ｂ）に示すように、廃液貯留部１４ａ，１４ｂが、定量部１３を胴体部分とすると、その定量部１３の左右の側方に配置された腕状の形状を有するように設けられている。
廃液貯留部１４ａ，１４ｂの腕状の部分は、定量部１３の流出口（図２（ａ）に示す逆流抑制部１５の位置参照）から左右に突出した肩状の部分を形成し、下方に屈曲されて下向きに伸長するように形成されている。このため、廃液貯留部１４ａ，１４ｂの検体２０の流入口は、定量部１３の流出口よりも下方に配置されている。
【００５２】
逆流抑制部１５は、図２（ａ）および図３等に示すように、定量部１３と廃液貯留部１４ａ，１４ｂとの間であって、定量部１３における検体２０の流入側の端部に設けられている。そして、逆流抑制部１５は、定量部１３よりも検体２０の流入断面積が小さくなるように形成されている。これにより、定量部１３から廃液貯留部１４ａ，１４ｂへの検体２０の移動が、逆流抑制部１５において抑制される。
【００５３】
具体的には、逆流抑制部１５は、定量スポイト１０の長手方向に略垂直に交差する平面に沿った断面（流入断面）が、内径１．０〜２．０ｍｍ程度の円形になるように形成されている。これにより、吸引操作によって定量部１３に充填された検体２０は、定量部１３の上部に設けられた逆流抑制部１５を介して溢れ出し、定量部１３の左右両側に設けられた廃液貯留部１４ａ，１４ｂへ流入していく。
【００５４】
このとき、一旦、定量部１３に充填された検体２０は、定量部１３よりも小さい隙間として形成された逆流抑制部１５の部分において表面張力を生じさせ、定量部１３内に保持される。
これにより、定量部１３に検体２０が充填された状態で、定量スポイト１０を傾けて作業を行った場合でも、定量部１３の上端に設けられた逆流抑制部１５において生じる表面張力によって、検体２０が定量部１３内から流出しないように保持することができる。
【００５５】
把持部１６は、図２（ａ）および図３等に示すように、吸引吐出部１２と定量部１３および廃液貯留部１４ａ，１４ｂとの間に設けられた筒状の部分であって、吸引・吐出操作が行われる際に使用者等によって把持される。
そして、把持部１６は、吸引吐出部１２、定量部１３等と連通しており、吸引吐出部１２が操作されて定量スポイト１０内の圧力が変化して生じた吸引力または吐出力を、先端開口部１１側へ伝達する。
【００５６】
ここで、本実施形態の定量スポイト１０では、把持部１６が、先端開口部１１、定量部１３、および廃液貯留部１４ａ，１４ｂと同様に、肉厚０．７ｍｍになるように成形されている。
＜定量スポイト１０を用いた検量工程＞
ここでは、上述した定量スポイト１０を用いて実施される検量工程の流れについて、図４（ａ）〜図４（ｄ）を用いて説明すれば以下の通りである。
【００５７】
すなわち、定量スポイト１０を先端開口部１１が下向きになる姿勢で吸引操作すると、吸引吐出部１２の操作によって発生した吸引力によって、図４（ａ）に示すように、検体２０が、先端開口部１１から定量部１３内へと流入する。
このとき、検体２０は、先端開口部１１が位置する下方から徐々に定量部１３内に充填されていく。
【００５８】
ここで、上述したように、吸引吐出部１２の体積Ｖ１は、定量部１３の体積Ｖ２よりも大きくなるように設定されている。このため、１回の吸引操作によって吸引された検体２０は、図４（ｂ）に示す定量部１３を充填した状態を超えて、図４（ｃ）に示すように、逆流抑制部１５を介して定量部１３から溢れ出し、廃液貯留部１４ａ，１４ｂ内へと流入する。
【００５９】
次に、押圧された吸引吐出部１２が初期形状に戻って吸引力が消滅すると、図４（ｄ）に示すように、定量部１３が上端の逆流抑制部１５の部分まで充填され、廃液貯留部１４ａ，１４ｂに余剰の検体２０が貯留された状態で安定する。
このとき、定量部１３内に貯留された検体２０には、逆流抑制部１５の部分において内径が狭くなっているため、表面張力が生じる。
【００６０】
これにより、図４（ｄ）に示す姿勢から、定量スポイト１０を傾けた場合でも、定量部１３から検体２０が流出してしまうことを抑制することができる。
よって、次の工程として、吸引吐出部１２を押圧する吐出操作によって、分析装置３１のカートリッジ３０等へ、所定量（本実施形態では、１．９ｍｌ）の検体２０を正確に吐出することができる。
【００６１】
この結果、簡単な操作によって、所定量の検体２０を正確に検量して吐出することが可能な定量スポイト１０を提供することができる。
＜主な特徴＞
本実施形態の定量スポイト１０は、図２（ａ）および図２（ｂ）に示すように、先端開口部１１、吸引吐出部１２、定量部１３、廃液貯留部１４ａ，１４ｂ、逆流抑制部１５を備えている。吸引吐出部１２は、使用者の操作によって先端開口部１１から検体２０を吸引させるための吸引力を発生させる。定量部１３は、先端開口部１１と吸引吐出部１２との間に設けられており、吸引吐出部１２が操作されて先端開口部１１から吸引された検体２０のうち、所定量の検体２０を貯留する。廃液貯留部１４ａ，１４ｂは、定量部１３と連通した状態で定量部１３の側方に設けられ、定量部１３から溢れ出た所定量を超える余剰の検体２０を貯留する。逆流抑制部１５は、定量部１３と廃液貯留部１４ａ，１４ｂとの間に設けられ、定量部１３よりも検体２０の流入断面積が小さくなるように形成され、定量部１３から廃液貯留部１４ａ，１４ｂへの検体２０の移動を抑制する。
【００６２】
これにより、吸引吐出部１２の操作によって一旦、定量部１３に流入した検体２０は、逆流抑制部１５において生じる表面張力によって、定量部１３から流出しにくい状態となる。また、定量部１３から溢れ出して廃液貯留部１４ａ，１４ｂへ貯留された検体２０は、常に定量部１３が満たされた状態のまま維持されるため、定量部１３の方へ移動することを抑制することができる。
【００６３】
この結果、検体２０を吸引して定量部１３へ所定量の検体２０を貯留した後、定量スポイト１０を斜めにしてカートリッジ３０へ検体２０を吐出した場合でも、正確に所定量の検体２０を吐出することができる。よって、使用者の使い勝手を向上させることができる。
そして、本実施形態では、図２（ａ）および図２（ｂ）に示すように、廃液貯留部１４ａ，１４ｂが、定量部１３を胴体部分とすると、その左右の側方に配置された腕状の形状を有するように設けられている。
【００６４】
これにより、廃液貯留部１４ａ，１４ｂと定量部１３とがともに外部から視認可能な状態で配置されるため、使用者は、定量部１３を採取液体によって充填させ、定量部１３から溢れ出した採取液体が廃液貯留部１４ａ，１４ｂへと流入している状態を、視認することができる。
この結果、単純な操作によって正確な検量を行うとともに、使用者の使い勝手を向上させることができる。
【００６５】
さらに、本実施形態では、廃液貯留部１４ａ，１４ｂの腕状の部分は、定量部１３の流出口（図２（ａ）に示す逆流抑制部１５の位置参照）から左右に突出した肩状の部分を形成し、下方に屈曲されて下向きに伸長する腕の部分を形成する。このため、廃液貯留部１４ａ，１４ｂの検体２０の流入口は、定量部１３の流出口よりも下方に配置されている。
これにより、検体２０を吸引して定量部１３において所定量の検体２０を貯留させた後、定量スポイト１０を斜めにしてカートリッジ３０へ検体２０を吐出する場合でも、廃液貯留部１４ａ，１４ｂから定量部１３の流出口を介して定量部１３に検体２０が逆流することを抑制することができる。よって、正確に所定量の検体２０を吐出することができるため、使用者の使い勝手を向上させることができる。
【００６６】
また、廃液貯留部１４ａ，１４ｂは、定量部１３を胴体部分とすると、その側方に腕状の形状を有するように配置されている。そして、定量部１３と廃液貯留部１４ａ，１４ｂとは、腕状の付け根部分に配置された位置の近傍において互いに連通している。一方、定量部１３と廃液貯留部１４ａ，１４ｂとは、その連通部分以外の部分では連通していない。
【００６７】
特に、定量部１３の側面および下方の先端部分である先端開口部１１では、廃液貯留部１４ａ，１４ｂとは分離した内部空間が形成されている。
これにより、定量部１３および先端開口部１１の太さは、定量部１３の大きさのみに依存する。よって、定量スポイト１０を任意の大きさで形成することができるため、検体２０の採取時および吐出時において、視認性、操作性が高い所望の大きさで構成することができる。
【００６８】
なお、本実施形態では、定量スポイト１０の形状を人間の形として見て、廃液貯留部１４ａ，１４ｂの部分の形状を、定量部１３を胴体部分とする腕状の形状と表現した。
廃液貯留部１４ａ，１４ｂの形状を示す他の表現としては、定量スポイト１０の形状を刀剣の形とすると、廃液貯留部１４ａ，１４ｂの部分の形状を、鉤（かぎ）状の鍔（つば）と表現することもできる。このとき、剣にあたる部分は、定量部１３となる。
【００６９】
この場合は、鉤の部分は、剣先方向、つまり、鉛直下方に向けて曲がった形状となっている。
さらに、本実施形態の定量スポイト１０では、図２（ａ）等に示すように、鉛直下方より、開口１１ａを有する先端開口部１１、定量部１３、逆流抑制部１５、廃液貯留部１４ａ，１４ｂ、および把持部１６と連通しており、共通の内部空間を形成する。そして、定量部１３、逆流抑制部１５、廃液貯留部１４ａ，１４ｂ、および把持部１６は、外装面が一体となって構成されている。
【００７０】
これにより、製造時には、１つの金型で一体成型することができる。すなわち、本体外装を一体成型可能となるため、製造が容易であり、部品点数も少なくすることができる。
（実施例１）
本発明の一実施例について、図５（ａ）〜図７を用いて説明すれば以下の通りである。
すなわち、上述した定量スポイト１０を用いて分注作業を実施した際の、従来のスポイトとの比較結果について以下で説明する。
【００７１】
図５（ｄ）に示す本実施例の定量スポイト１０に対する比較例としては、図５（ａ）に示す円筒型の吸引吐出部を有するポリスポイト（比較例１）、図５（ｂ）に示す円盤型の吸引吐出部を有するデスペット（比較例２）、図５（ｃ）に示す蛇腹型の吸引吐出部を有するケミカルスポイト（比較例３）を用いた。
なお、各比較例１〜３のスポイトは、上述した定量部１３を有していないため、使用者が保持部に設けられた目盛りを見ながら検量を行う構成であって、本実施例の定量スポイト１０とは異なっている。
【００７２】
まず、各スポイトの分注量（２．０ｍｌ前後）について試験を行った結果、図６に示すように、各スポイトに設定された所定の分注量に対して、いずれのスポイトも多少のばらつきが見られた。
特に、比較例１，３に係るポリスポイトおよびケミカルスポイトは、本実施例の定量スポイト１０と比較して、分注量のばらつきが大きかった。
【００７３】
より詳細には、図６に示すように、各スポイトによる分注量のばらつきは、比較例１に係るポリスポイトでは約１．０％、比較例２に係るデスペットでは約０．６％、比較例３に係るケミカルスポイトでは約２．５％であった。
これに対して、本実施例の定量スポイト１０では、分注量のばらつきは約０．６％であった。
【００７４】
ここで、比較例３に係るケミカルスポイトの分注量のばらつきが大きかった理由としては、蛇腹状の吸引吐出部の操作性が高い分、必要以上の検体を吸引してしまうため、目盛りを見ながらの検量の難易度が高くなったことが考えられる。
一方、比較例１，２に係るポリスポイトおよびデスペットの場合には、分注量のばらつきは比較的小さいものの、薄肉状の円筒部、あるいは円盤部を押圧して吸引操作を行うため、どの程度押圧すればどの程度の検体が吸引されるか判断が難しいという課題がある。
【００７５】
本実施例の定量スポイト１０では、操作性の高い蛇腹状の吸引吐出部１２を採用し、かつ分注量のばらつきも抑制することができた。
これは、上述したように、定量スポイト１０を用いた検量作業が、使用者が目盛りを見ながら行われるものではなく、定量部１３の体積によって予め規定されたものであることが考えられる。
【００７６】
これにより、吸引・吐出操作の操作性が高い蛇腹状の吸引吐出部１２を採用した構成であっても、分注量のばらつきを最小限に抑制することが可能となる。
［他の実施形態］
以上、本発明の一実施形態について説明したが、本発明は上記実施形態に限定されるものではなく、発明の要旨を逸脱しない範囲で種々の変更が可能である。
【００７７】
（Ａ）
上記実施形態では、図８（ａ）に示すように、逆流抑制部１５が、定量部１３の上端（流入側の端部）に設けられた構成を例として挙げて説明した。しかし、本発明はこれに限定されるものではない。
例えば、図８（ｂ）に示すように、定量部１３側だけでなく、廃液貯留部１４ａ，１４ｂの上端（流入側の端部）に逆流抑制部１１５ａ，１１５ｂを設けた定量スポイト（液体検量器）１１０であってもよい。
【００７８】
この場合には、吸引された採取液体が、一旦、定量部１３と廃液貯留部１４ａ，１４ｂへ流入すると、逆流抑制部１１５ａ，１１５ｂによって、採取液体が定量部１３、廃液貯留部１４ａ，１４ｂ内から流出することを抑制することができる。
この結果、定量部１３において検量された採取液体の量が変動することを抑制して、高精度な検量を実施することができるという、上記と同様の効果を得ることができる。
【００７９】
（Ｂ）
上記実施形態では、検体２０の流入方向に交差する面に沿った断面積を狭めた逆流抑制部１５が、定量部１３の上端（流入側の端部）に設けられた構成を例として挙げて説明した。しかし、本発明はこれに限定されるものではない。
例えば、図９（ａ）に示すように、採取液体の流入方向に略平行な面に沿った断面積を狭めた逆流抑制部２１５ａａ，２１５ａｂが、廃液貯留部１４ａ，１４ｂの上端（流入側の端部）に設けられた定量スポイト（液体検量器）２１０ａであってもよい。
【００８０】
また、図９（ｂ）に示すように、採取液体の流入方向に略平行な面に沿った断面積を狭めた逆流抑制部２１５ｂａ，２１５ｂｂが、廃液貯留部１４ａ，１４ｂの上部付近（流入側の部分）に設けられた定量スポイト（液体検量器）２１０ｂであってもよい。
さらに、図９（ｃ）に示すように、採取液体の流入方向に略平行な面に沿った断面積を狭めた逆流抑制部２１５ｃａ，２１５ｃｂが、廃液貯留部１４ａ，１４ｂの中央付近（流入側の部分）に設けられた定量スポイト（液体検量器）２１０ｃであってもよい。
【００８１】
この場合でも、定量部１３へ一旦流入した採取液体が流出することを抑制するとともに、廃液貯留部１４ａ，１４ｂへ一旦流入した採取液体が流出することを抑制することができる。
この結果、定量部１３と廃液貯留部１４ａ，１４ｂとの間における採取液体の移動を抑制して、高精度な採取液体の検量を実施することができるという、上記と同様の効果を得ることができる。
【００８２】
（Ｃ）
上記実施形態では、廃液貯留部１４ａ，１４ｂが、定量部１３の両側２箇所に設けられている例を挙げて説明した。しかし、本発明はこれに限定されるものではない。
例えば、図１０に示すように、定量部１３の両側に２つずつ、計４つの貯留部３１４ａ，３１４ｂ，３１４ｃ，３１４ｄを含む廃液貯留部３１４が設けられた定量スポイト（液体検量器）３１０であってもよい。
【００８３】
この場合でも、定量部１３から溢れ出した余剰の採取液体を、複数の貯留部３１４ａ，３１４ｂ，３１４ｃ，３１４ｄへと流入させて保持することができる。
（Ｄ）
上記実施形態では、廃液貯留部１４ａ，１４ｂが、定量部１３の両側２箇所に設けられている例を挙げて説明した。しかし、本発明はこれに限定されるものではない。
【００８４】
例えば、図１１に示すように、定量部１３の片方の側面に沿って単一の廃液貯留部４１４が設けられた定量スポイト（液体検量器）４１０であってもよい。
図１１に示す定量スポイト４１０では、円筒状の把持部１６の軸方向に対して斜め方向に沿って形成された先端開口部４１１を含む構成であることが好ましい。
この場合には、先端開口部４１１が略垂直に採取液体の液面に対して挿入されるように定量スポイト４１０の姿勢を維持すると、単一の廃液貯留部４１４が鉛直方向における下方に配置される。
【００８５】
これにより、吸引操作によって吸引された採取液体のうち、定量部１３から溢れ出した余剰分の採取液体を、吸引操作時の姿勢において下方に配置される廃液貯留部４１４へと流入させることができる。
（Ｅ）
上記実施形態では、定量部１３から溢れ出した検体２０は、吸引操作時に略水平方向に沿って配置される平面を介して、廃液貯留部１４ａ，１４ｂへと流入する構成を例として挙げて説明した。しかし、本発明はこれに限定されるものではない。
【００８６】
例えば、図１２に示すように、定量部１３から溢れ出した採取液体を廃液貯留部１４ａ，１４ｂへと誘導するための傾斜面５１７ａ，５１７ｂを含む液体残留防止部５１７を備えた定量スポイト（液体検量器）５１０であってもよい。
この場合には、吸引された採取液体のうち、定量部１３から溢れ出した余剰分の採取液体は、傾斜面５１７ａ，５１７ｂ上に位置すると重力によって廃液貯留部１４ａ，１４ｂへと流入する。
【００８７】
なお、図１２に示す構成では、この傾斜面５１７ａ，５１７ｂは、人間の腕状の廃液貯留部１４ａ，１４ｂに対して、人間の脇の部分に相当する位置に設けられている。
これにより、定量部１３から溢れ出した余剰分の採取液体が、定量部１３の流入口付近に残留し定量部１３に流入することを防止して、定量部１３における検量精度を低下させることを防止することができる。
【００８８】
（Ｆ）
上記実施形態では、吸引吐出部１２として、蛇腹状の部材を用いた例を挙げて説明した。しかし、本発明はこれに限定されるものではない。
例えば、図１３（ａ）および図１３（ｂ）に示すように、薄肉状の円筒部を有する吸引吐出部６１２ａ、円盤部を有する吸引吐出部６１２ｂを押圧して変形させ、その復元力を利用して採取液体を吸引する定量スポイト（液体検量器）６１０ａ，６１０ｂであってもよい。
【００８９】
（Ｇ）
上記実施形態では、本定量スポイト１０を使用者の指による手動操作によって吸引吐出部１２が操作され、血液等の検体を検量して吐出する例を挙げて説明した。しかし、本発明はこれに限定されるものではない。
吸引吐出部の操作は手動操作に限定されるものではなく、例えば、自動化された検量ラインにおいて、電力等を用いて自動操作によって吸引吐出部１２が操作され、採取液体を検量して吐出する構成であってもよい。
【００９０】
（Ｈ）
上記実施形態では、本発明の定量スポイト１０によって検量される採取液体として、分析装置３１によってウィルス等の有無の分析が行われる血液等の検体を用いた例を挙げて説明した。しかし、本発明はこれに限定されるものではない。
例えば、本発明における採取液体としては、血液等の検体以外に、検量が必要な各種液体を用いてもよい。
【００９１】
（Ｉ）
上記実施形態では、廃液貯留部１４ａ，１４ｂが定量部１３の左右両側へそれぞれ配置された定量スポイト１０を例として挙げて説明した。しかし、本発明はこれに限定されるものではない。
例えば、図１４に示すように、廃液貯留部７１４が定量部１３の側方に１つだけ設けられた定量スポイト（液体検量器）７１０であってもよい。
【００９２】
（Ｊ）
上記実施形態では、廃液貯留部１４ａ，１４ｂが、定量部１３に対して、腕の付け根にあたる定量部１３の流入口近傍で連通しており、それ以外の部分では連通はしていない構成を採用した定量スポイト１０を例として挙げて説明した。しかし、本発明はこれに限定されるものではない。
【００９３】
例えば、図１５に示すように、廃液貯留部８１４ａ，８１４ｂの側面が、定量部１３の側面と連結されるように構成された定量スポイト（液体検量器）８１０であってもよい。
この場合には、定量部１３の側面と連結された廃液貯留部８１４ａ，８１４ｂの腕状の部分の剛性を高めることができる。
具体的には、図１５に示すように、廃液貯留部８１４ａ，８１４ｂの腕状の部分の側面と、定量部１３の胴体状の脇の部分に相当する側面とを連結している。この部分の連結は、薄い樹脂によって成形時に連結させているが、廃液貯留部８１４ａ，８１４ｂと定量部１３の内部空間同士は連通していない。
【００９４】
これにより、廃液貯留部８１４ａ，８１４ｂの腕状の部分が定量部１３に対して固定されるので、定量スポイト８１０の全体の剛性を向上させることができる。
（Ｋ）
上記実施形態では、ＰＥ等の樹脂を用いてブロー成形された定量スポイト１０を例として挙げて説明した。しかし、本発明はこれに限定されるものではない。
【００９５】
例えば、吸引吐出部に相当するゴム製の部品と、その他の部分（先端開口部、定量部、廃液貯留部）に相当するガラス製の部品と、を組み合わせて構成されるピペット等の液体検量器として、本発明を実現してもよい。
【産業上の利用可能性】
【００９６】
本発明の定量スポイトは、単純な操作によって正確な検量を行うとともに、使用者の使い勝手を向上させることができるという効果を奏することから、各種検量器具に対して広く適用可能である。
【符号の説明】
【００９７】
１０      定量スポイト（液体検量器）
１１      先端開口部
１１ａ    開口
１２      吸引吐出部
１３      定量部
１４ａ，１４ｂ  廃液貯留部
１５      逆流抑制部
１６      把持部
２０      検体（採取液体）
３０      カートリッジ
３１      分析装置
１１０      定量スポイト（液体検量器）
１１５ａ，１１５ｂ  逆流抑制部
２１０ａ，２１０ｂ，２１０ｃ  定量スポイト（液体検量器）
２１５ａａ，２１５ａｂ  逆流抑制部
２１５ｂａ，２１５ｂｂ  逆流抑制部
２１５ｃａ，２１５ｃｂ  逆流抑制部
３１０      定量スポイト（液体検量器）
３１４      廃液貯留部
３１４ａ，３１４ｂ，３１４ｃ，３１４ｄ  貯留部
４１０      定量スポイト（液体検量器）
４１１      先端開口部
４１４      廃液貯留部
５１０      定量スポイト（液体検量器）
５１７      液体残留防止部
５１７ａ，５１７ｂ  傾斜面
６１０ａ，６１０ｂ  定量スポイト（液体検量器）
６１２ａ，６１２ｂ  吸引吐出部
７１０      定量スポイト（液体検量器）
７１４      廃液貯留部
８１０      定量スポイト（液体検量器）
８１４ａ，８１４ｂ  廃液貯留部
Ｖ１，Ｖ２，Ｖ３  体積                    
【図１】
2018020283.tif 000003
【図２】
2018020283.tif 000004
【図３】
2018020283.tif 000005
【図４】
2018020283.tif 000006
【図５】
2018020283.tif 000007
【図６】
2018020283.tif 000008
【図７】
2018020283.tif 000009
【図８】
2018020283.tif 000010
【図９】
2018020283.tif 000011
【図１０】
2018020283.tif 000012
【図１１】
2018020283.tif 000013
【図１２】
2018020283.tif 000014
【図１３】
2018020283.tif 000015
【図１４】
2018020283.tif 000016
【図１５】
2018020283.tif 000017